(57)【特許請求の範囲】
【請求項１】
マシンタイプ通信（ＭＴＣ）ユーザ機器（ＵＥ）によるワイヤレス通信のための方法であって、
第１のコアネットワークからアタッチ受理メッセージを受信することと、ここにおいて、前記アタッチ受理メッセージは、前記第１のコアネットワークが制御プレーン伝送上のスモールデータを含むサービスの第１のセットをサポートし、かつデータベアラサービスをサポートしないことを示す、
モバイル発（ＭＯ）のベアラサポートされた通信を始めることを前記ＭＴＣ ＵＥが要望していると決定することと、
データベアラサービスのためのサポートにアクセスするために前記第１のコアネットワークから第２のコアネットワークへ再選択するためのアクションを取ることと
を備え、
ここにおいて、前記アクションを取ることは、登録アップデートを開始することを備え、前記登録アップデートは、前記第１のコアネットワークに関連付けられた識別子を示さず、かつコアネットワーク制御ノードに接続するインジケーション、データベアラサービスをサポートするコアネットワークに接続するインジケーション、前記第１のコアネットワークに接続しないインジケーション、またはそれらの組み合わせ、のうちの少なくとも１つを含む、方法。
【請求項２】
前記登録アップデートは、無線アクセスネットワーク（ＲＡＮ）ノードに、前記第１のコアネットワークによって提供されない前記ＵＥによって要求されるサービスを示す、請求項１に記載の方法。
【請求項３】
前記第１のコアネットワークに関連付けられた前記識別子は、グローバルに固有のＭＭＥ識別子（ＧＵＭＭＥＩ）を備える、請求項１に記載の方法。
【請求項４】
前記第１のコアネットワークに関連付けられた前記識別子は、一時的な識別子を備える、請求項１に記載の方法。
【請求項５】
前記アクションを取ることは、無線アクセスネットワーク（ＲＡＮ）ノードに、前記ＵＥに関連付けられた永久識別子のインジケーションを送信する追跡エリアアップデート（ＴＡＵ）要求を開始することをさらに備える、請求項４に記載の方法。
【請求項６】
前記ＴＡＵ要求は、前記第１のコアネットワークに関する情報を送信する、請求項５に記載の方法。
【請求項７】
前記第１のコアネットワークは、制御プレーンおよびユーザプレーンを組み合わせる、請求項１に記載の方法。
【請求項８】
マシンタイプ通信（ＭＴＣ）ユーザ機器（ＵＥ）によるワイヤレス通信のための装置であって、
第１のコアネットワークからアタッチ受理メッセージを受信するための手段と、ここにおいて、前記アタッチ受理メッセージは、前記第１のコアネットワークが制御プレーン伝送上のスモールデータを含むサービスの第１のセットをサポートし、かつデータベアラサービスをサポートしないことを示す、
モバイル発（ＭＯ）のベアラサポートされた通信を始めることを前記ＭＴＣ ＵＥが要望していると決定するための手段と、
データベアラサービスのためのサポートにアクセスするために前記第１のコアネットワークから第２のコアネットワークへ再選択するためのアクションを取るための手段と
を備え、
ここにおいて、前記アクションを取るための前記手段は、登録アップデートを開始するための手段を備え、前記登録アップデートは、前記第１のコアネットワークに関連付けられた識別子を示さず、かつコアネットワーク制御ノードに接続するインジケーション、データベアラサービスをサポートするコアネットワークに接続するインジケーション、前記第１のコアネットワークに接続しないインジケーション、またはそれらの組み合わせ、のうちの少なくとも１つを含む、装置。
【請求項９】
前記登録アップデートは、無線アクセスネットワーク（ＲＡＮ）ノードに、前記第１のコアネットワークによって提供されない前記ＵＥによって要求されるサービスを示す、請求項８に記載の装置。
【請求項１０】
前記第１のコアネットワークに関連付けられた前記識別子は、グローバルに固有のＭＭＥ識別子（ＧＵＭＭＥＩ）を備える、請求項８に記載の装置。
【請求項１１】
前記第１のコアネットワークに関連付けられた前記識別子は、一時的な識別子を備える、請求項８に記載の装置。
【請求項１２】
前記アクションを取るための前記手段は、無線アクセスネットワーク（ＲＡＮ）ノードに、前記ＵＥに関連付けられた永久識別子のインジケーションを送信する追跡エリアアップデート（ＴＡＵ）要求を開始するための手段をさらに備える、請求項１１に記載の装置。
【請求項１３】
前記ＴＡＵ要求は、前記第１のコアネットワークに関する情報を送信する、請求項１２に記載の装置。
【請求項１４】
前記第１のコアネットワークは、制御プレーンおよびユーザプレーンを組み合わせる、請求項８に記載の装置。
【請求項１５】
マシンタイプ通信（ＭＴＣ）ユーザ機器（ＵＥ）によるワイヤレス通信のための装置であって、
第１のコアネットワークからアタッチ受理メッセージを受信するように構成された受信機と、ここにおいて、前記アタッチ受理メッセージは、前記第１のコアネットワークが制御プレーン伝送上のスモールデータを含むサービスの第１のセットをサポートし、かつデータベアラサービスをサポートしないことを示す、
モバイル発（ＭＯ）のベアラサポートされた通信を始めることを前記ＭＴＣ ＵＥが要望していると決定することと、
データベアラサービスのためのサポートにアクセスするために前記第１のコアネットワークから第２のコアネットワークへ再選択するためのアクションを取ることと
を行うように構成された少なくとも１つのプロセッサと、ここにおいて、前記少なくとも１つのプロセッサは、登録アップデートを開始することによって前記アクションを取ることを行うように構成され、前記登録アップデートは、前記第１のコアネットワークに関連付けられた識別子を示さず、かつコアネットワーク制御ノードに接続するインジケーション、データベアラサービスをサポートするコアネットワークに接続するインジケーション、前記第１のコアネットワークに接続しないインジケーション、またはそれらの組み合わせ、のうちの少なくとも１つを含む、
前記少なくとも１つのプロセッサに結合されたメモリと
を備える、装置。
【請求項１６】
前記登録アップデートは、無線アクセスネットワーク（ＲＡＮ）ノードに、前記第１のコアネットワークによって提供されない前記ＵＥによって要求されるサービスを示す、請求項１５に記載の装置。
【請求項１７】
前記第１のコアネットワークに関連付けられた前記識別子は、グローバルに固有のＭＭＥ識別子（ＧＵＭＭＥＩ）を備える、請求項１５に記載の装置。
【請求項１８】
前記第１のコアネットワークに関連付けられた前記識別子は、一時的な識別子を備える、請求項１５に記載の装置。
【請求項１９】
前記少なくとも１つのプロセッサは、無線アクセスネットワーク（ＲＡＮ）ノードに、前記ＵＥに関連付けられた永久識別子のインジケーションを送信する追跡エリアアップデート（ＴＡＵ）要求を開始することによって、前記アクションを取ることを行うようにさらに構成される、請求項１８に記載の装置。
【請求項２０】
前記ＴＡＵ要求は、前記第１のコアネットワークに関する情報を送信する、請求項１９に記載の装置。
【請求項２１】
前記第１のコアネットワークは、制御プレーンおよびユーザプレーンを組み合わせる、請求項１５に記載の装置。
【請求項２２】
記憶された命令を有する非一時的コンピュータ読み取り可能な記憶媒体であって、前記命令は、マシンタイプ通信（ＭＴＣ）ユーザ機器（ＵＥ）に、
第１のコアネットワークからアタッチ受理メッセージを受信することと、ここにおいて、前記アタッチ受理メッセージは、前記第１のコアネットワークが制御プレーン伝送上のスモールデータを含むサービスの第１のセットをサポートし、かつデータベアラサービスをサポートしないことを示す、
モバイル発（ＭＯ）のベアラサポートされた通信を始めることを前記ＭＴＣ ＵＥが要望していると決定することと、
データベアラサービスのためのサポートにアクセスするために前記第１のコアネットワークから第２のコアネットワークへ再選択するためのアクションを取ることと、
を行わせるために１つまたは複数のプロセッサによって実行可能であり、
ここにおいて、前記少なくとも１つのプロセッサは、登録アップデートを開始することによってアクションを取ることを行うように構成され、前記登録アップデートは、前記第１のコアネットワークに関連付けられた識別子を示さず、かつコアネットワーク制御ノードに接続するインジケーション、データベアラサービスをサポートするコアネットワークに接続するインジケーション、または前記第１のコアネットワークに接続しないインジケーション、またはそれらの組み合わせ、のうちの少なくとも１つを含む、コンピュータ読み取り可能な記憶媒体。
【請求項２３】
前記登録アップデートは、無線アクセスネットワーク（ＲＡＮ）ノードに、前記第１のコアネットワークによって提供されない前記ＵＥによって要求されるサービスを示す、請求項２２に記載のコンピュータ読み取り可能な記憶媒体。
【発明の詳細な説明】
【関連出願の相互参照】
【０００１】
[0001]  本願は、２０１５年６月１６日に出願された「RESELECTION BETWEEN REGULAR AND DEDICATED CORE NETWORKS」と題する米国仮特許出願第６２／１８０，３９４号の利益を主張する、２０１６年６月２日に出願された米国特許出願第１５／１７１，４２６号の優先権を主張し、両出願ともその全体がここに参照によって明確に組み込まれる。
【技術分野】
【０００２】
[0002]  本開示は、一般に、ワイヤレス通信に関し  および、より具体的には、コアネットワーク（ＣＮ）を再選択するユーザ機器（ＵＥ）のための方法および装置に関する。
【関連技術の説明】
【０００３】
[0003]  ワイヤレス通信システムは、音声、データ、等のような様々なタイプの通信内容を提供するために広く展開されている。これらのシステムは、利用可能なシステムリソース（例えば、帯域幅および送信電力）を共有することによって複数のユーザとの通信をサポートすることが可能な多元接続システム（multiple-access systems）であり得る。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））／ＬＴＥ−アドバンスドシステム、および、直交周波数分割多元接続（ＯＦＤＭＡ）システムを含む。
【０００４】
[0004]  一般に、ワイヤレス多元接続通信システムは、複数のワイヤレス端末のための通信を同時にサポートすることができる。各端末は、順方向および逆方向リンク上の送信を介して１つまたは複数の基地局と通信する。順方向リンク（または、ダウンリンク）は、基地局から端末への通信リンクを指し、逆方向リンク（または、アップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  ワイヤレス通信ネットワークは、多数のワイヤレスデバイスのための通信をサポートすることができる多数の基地局を含み得る。ワイヤレスデバイスは、ユーザ機器（ＵＥ）を含み得る。ＵＥのいくつかの例は、セルラフォン、スマートフォン、携帯情報端末（ＰＤＡ）、ワイヤレスモデム、ハンドヘルドデバイス、タブレット、ラップトップコンピュータ、ネットブック、スマートブック、ウルトラブック、等を含み得る。いくつかのＵＥは、マシンタイプ通信（ＭＴＣ）ＵＥとみなされ得、それは、基地局、別の遠隔デバイス、または何らかの他のエンティティと通信し得る、センサ、メータ、ロケーションタグ（location tags）、等のような遠隔デバイスを含み得る。マシンタイプ通信（ＭＴＣ）は、通信の少なくとも一端に少なくとも１つの遠隔デバイスを伴う通信を指し得  および、必ずしも人間の関与（human interaction）を必要としない１つまたは複数のエンティティを伴うデータ通信の形態を含み得る。ＭＴＣ  ＵＥは、例えば、公衆地上モバイルネットワーク（ＰＬＭＮ：Public Land Mobile Networks）を通じてＭＴＣサーバおよび／または他のＭＴＣデバイスとのＭＴＣ通信が可能であるＵＥを含み得る。
【０００６】
[0006]  これまでのＵＥと比較すると異なる特性を有し得る、ＭＴＣデバイスを含む、デバイスに有効なカバレッジを提供するための技法が、要望される。
【発明の概要】
【０００７】
[0007]  本開示のある特定の態様は、ユーザ機器（ＵＥ）によるワイヤレス通信のための方法を提供する。方法は、一般に、第１のコアネットワークによって提供されるサービスの第１のセットに関する情報を受信することと、第１のコアネットワークによって提供されないサービスの第２のセットにアクセスするために、第１のコアネットワークから第２のコアネットワークへ再選択するためのアクションを取ることとを含む。
【０００８】
[0008]  態様に従って、アクションを取ることは登録アップデートを開始することを含み得、ここにおいて、登録アップデートは、無線アクセスネットワーク（ＲＡＮ）ノードに、第１のコアネットワークによって提供されないＵＥによって要求されるサービスを示す。登録アップデートは第１のコアネットワークに関連付けられた識別子を示さない場合がある。
【０００９】
[0009]  第１のコアネットワークに関連付けられた識別子（それは登録アップデートに含まれない場合がある）はグローバルに固有のＭＭＥ識別子（ＧＵＭＭＥＩ：Globally Unique MME Identifier）を備え得る。一般に、第１のコアネットワークに関連付けられた識別子（それは登録アップデートに含まれない場合がある）は一時的な識別子を含み得る。
【００１０】
[0010]  ＵＥはＲＡＮノードに、ＵＥに関連付けられた永久識別子（permanent identifier）を示し得る。
【００１１】
[0011]  ＵＥは、登録アップデートにおいて第１のコアネットワークに関する情報を提供し得る。実例的な目的のみで、第１のコアネットワークは、データベアラサービス（data bearer services）または制御プレーン伝送サービス（control plane transmission services）上のスモールデータ(small data)のうちの少なくとも１つを提供し得る。
【００１２】
[0012]  態様に従って、アクションを取ることはＵＥが追跡エリアアップデート（ＴＡＵ）要求メッセージを送信することを含み得る。
【００１３】
[0013]  本開示のある特定の態様はワイヤレス通信のための装置を提供する。装置は一般に第１のコアネットワークによって提供されるサービスの第１のセットに関する情報を、ＵＥによって、受信するための手段と、および第１のコアネットワークによって提供されないサービスの第２のセットにアクセスするために第１のコアネットワークから第２のコアネットワークへ再選択するためのアクションを、ＵＥによって、取るための手段とを含む。
【００１４】
[0014]  本開示のある特定の態様はワイヤレス通信のための装置を提供する。装置は一般に受信機、少なくとも１つのプロセッサ、そして少なくとも１つのプロセッサに結合されたメモリとを含む。受信機は一般に第１のコアネットワークによって提供されるサービスの第１のセットに関する情報を受信することを行うように構成され、および少なくとも１つのプロセッサは一般に第１のコアネットワークによって提供されないサービスの第２のセットにアクセスするために第１のコアネットワークから第２のコアネットワークへ再選択するためのアクションを取ることを行うように構成される。
【００１５】
[0015]  本開示のある特定の態様は記憶された命令を有するコンピュータ読み取り可能な媒体を提供する。命令はユーザ機器（ＵＥ）に第１のコアネットワークによって提供されるサービスの第１のセットに関する情報を受信すること、および第１のコアネットワークによって提供されないサービスの第２のセットにアクセスするために第１のコアネットワークから第２のコアネットワークへ再選択するためのアクションを取ることとを行わせるために１つまたは複数のプロセッサによって実行可能である。
【００１６】
[0016]  態様は、一般に、添付の図面を参照してここに実質的に説明されるようにおよびそれらによって例示されるように、方法、装置、システム、コンピュータプログラム製品、および処理システムを含む。
【図面の簡単な説明】
【００１７】
【図１】[0017]  ネットワークアーキテクチャの例を例示する図である。
【図２】[0018]  アクセスネットワークの例を例示する図である。
【図３】[0019]  ＬＴＥにおけるＤＬフレーム構造の例を例示する図である。
【図４】[0020]  ＬＴＥにおけるＵＬフレーム構造の例を例示する図である。
【図５】[0021]  ユーザおよび制御プレーンのための無線プロトコルアーキテクチャの例を例示する図である。
【図６】[0022]  本開示のある特定の態様に従った、アクセスネットワークにおける基地局およびユーザ機器の例を例示する図である。
【図７】[0023]  本開示の態様に従った、初期のアタッチプロシージャ（initial attach procedure）のための例となるコールフローを例示する。
【図８】[0024]  本開示の態様に従った、コアネットワークの再選択のための例となるコールフローを例示する。
【図９】[0025]  本開示の態様に従った、コアネットワークの再選択のための例となるコールフローを例示する。
【図１０】[0026]  本開示の態様に従った、ＵＥによって実行され得る、例となる動作を例示する。
【詳細な説明】
【００１８】
[0027]  制御プレーン上スモールデータ（例えば、コネクションレス、スモールデータ伝送）アクセスは、ネットワークへの従来型の接続アクセス（conventional connected access）を確立することに関連付けられるオーバヘッドなしにＵＥによるデータの伝送を可能にし得る。ある特定のデバイスは、ほとんどの場合、コネクションレスデータ伝送（例えば、短いアップデートおよび／報告）を使用し得る。時々、これらのデバイスは、データベアラを伴うより大きなデータ取引（例えば、ソフトウェアアップデート）を必要とし得る。本開示の態様は、ＵＥが要求したサービスに基づいて、コアネットワークを選択／再選択するための技法を提供する。
【００１９】
[0028]  本開示の態様に従って、制御プレーン上のスモールデータに携わるデバイスは専用の、組み合わされた制御プレーンおよびユーザプレーン（Control Plane and User Plane）コアネットワーク（ＣＮ）ノードによってサービングされ得る。標準化された、専用のＣＮはサービスの特定のセットを提供し得る。１つの非限定的な例によると、専用のＣＮは、制御プレーン伝送上のスモールデータのみを提供し得、データベアラをサポートしない場合がある。ここにさらに詳細に説明されるように、ＵＥは第１のコアネットワークによって提供されるサービスのインジケーションを受信し得る。ＵＥは、第１のコアネットワークによって提供されないサービスのセットにアクセスするために第１のコアネットワークから第２のコアネットワークへ再選択するためのアクションを取り得る。
【００２０】
[0029]  添付の図面に関連して以下に記述される詳細な説明は様々な構成の説明として意図されており、ここに説明される概念が実践され得る構成のみを表すように意図されていない。詳細な説明は、様々な概念の完全な理解を提供する目的で、特定の詳細を含む。しかしながら、これらの概念がこれらの特定の詳細なしに実践され得ることは、当業者には、明らかだろう。いくつかの事例では、そのような概念を曖昧にすることを避けるために、周知の構造およびコンポーネントがブロック図の形態で示される。
【００２１】
[0030]  電気通信システムのいくつかの態様は、様々な装置および方法に関してここで提示されるだろう。これらの装置および方法は、以下の詳細な説明において説明され、添付の図面において、様々なブロック、モジュール、コンポーネント、回路、ステップ、プロセス、アルゴリズム、等（総称的に「要素」と呼ばれる）によって例示されるだろう。これらの要素は、ハードウェア、ソフトウェア、またはこれらの組み合わせを使用して実施され得る。そのような要素がハードウェアとして実施されるか、またはソフトウェアとして実施されるかは、特定のアプリケーションおよびシステム全体に課せられる設計制約に依存する。
【００２２】
[0031]  例として、要素、または要素の任意の部分、または要素の任意の組み合わせは、１つまたは複数のプロセッサを含む「処理システム」で実施され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、ステートマシン、ゲートロジック、離散ハードウェア回路、およびこの開示全体を通じて説明される様々な機能を実行することを行うように構成された他の適切なハードウェアを含む。処理システム中の１つまたは複数のプロセッサは、ソフトウェアを実行し得る。ソフトウェアは、ソフトウェア／ファームウェア、ミドルウェア、マイクロコード、ハードウェア記述言語と呼ばれようと、または別の名称で呼ばれようと、命令、命令のセット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数、等を意味するように広く解釈されるべきである。
【００２３】
[0032]  したがって、１つまたは複数の実例的な実施形態では、説明された機能は、ハードウェア、ソフトウェア、またはこれらの組み合わせにおいて実施され得る。ソフトウェアで実施される場合、機能は、コンピュータ読み取り可能な媒体上の１つまたは複数の命令またはコードとして記憶または符号化され得る。コンピュータ読み取り可能な媒体は、コンピュータ記憶媒体を含む。記憶媒体は、コンピュータによってアクセスされることができる任意の利用可能な媒体であり得る。限定ではなく例として、そのようなコンピュータ読み取り可能な媒体は、ＲＡＭ、ＲＯＭ、ＥＥＰＲＯＭ（登録商標）、ＰＣＭ（相変化メモリ（phase change memory））、フラッシュメモリ、ＣＤ−ＲＯＭもしくは他の光ディスク記憶装置、磁気ディスク記憶装置もしくは他の磁気記憶デバイス、または命令もしくはデータ構造の形態で要望のプログラムコードを搬送または記憶するために使用されることができ、コンピュータによってアクセスされることができる任意の他の媒体を備えることができる。ディスク（disk）およびディスク（disc）は、ここで使用されるように、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）、およびＢｌｕ−ｒａｙ（登録商標）ディスク（disc）を含み、ここで、ディスク（disk）は通常、磁気的にデータを再生し、他方、ディスク（disc）は、レーザーを用いて光学的にデータを再生する。上記の組合せもまた、コンピュータ読み取り可能な媒体の範囲内に含まれるべきである。
【００２４】
[0033]  図１は、本開示の態様が実践され得るＬＴＥネットワークアーキテクチャ１００を例示する図である。例えば、ＵＥ１０２は、ここに説明される技法を実行し得る。態様に従って、ＵＥは、制御プレーン伝送サービス上のスモールデータ（例えば、コネクションレスのスモールデータ伝送）をサポートし得、時々、データベアラでのより大きなデータ取引を必要とし得る。ここにさらに詳細に説明されるように、データベアラサポートが要望されるときＭＭＥを介してＵＥはコアネットワークに接続し得、ＵＥが現在接続されているコアネットワークによって提供されないサービスを要望するとき、データベアラをサポートしない簡易化された、専用のコアネットワーク（例示せず）にＵＥは接続し得る。
【００２５】
[0034]  ＬＴＥネットワークアーキテクチャ１００は、発展型パケットシステム（ＥＰＳ：Evolved Packet System）１００と呼ばれ得る。ＥＰＳ１００は、１つまたは複数のユーザ機器（ＵＥ）１０２、発展型ＵＭＴＳ地上無線アクセスネットワーク（Ｅ−ＵＴＲＡＮ：Evolved UMTS Terrestrial Radio Access Network）１０４、発展型パケットコア（ＥＰＣ：Evolved Packet Core）１１０、ホーム加入者サーバ（ＨＳＳ）１２０、およびオペレータのＩＰサービス１２２を含み得る。ＥＰＳは他のアクセスネットワークと相互接続することができるが、簡潔さのために、それらのエンティティ／インタフェースは、示されない。実例的な他のアクセスネットワークは、ＩＰマルチメディアサブシステム（ＩＭＳ）ＰＤＮ、インターネットＰＤＮ、アドミニストレイティブＰＤＮ（例えば、プロビジョニングＰＤＮ）、キャリア固有ＰＤＮ、オペレータ固有ＰＤＮ、および／またはＧＰＳ  ＰＤＮを含み得る。示されるように、ＥＰＳは、パケット交換サービスを提供するが、当業者が容易に理解するであろうように、本開示全体を通じて提示される様々な概念は、回線交換サービスを提供するネットワークに拡張され得る。
【００２６】
[0035]  Ｅ−ＵＴＲＡＮは、発展型ノードＢ（ｅＮＢ）１０６および他のｅＮＢ１０８を含む。ｅＮＢ１０６は、ＵＥ１０２に対するユーザおよび制御プレーンプロトコル終端（terminations）を提供する。ｅＮＢ１０６は、Ｘ２インタフェース（例えば、バックホール（backhaul））を介して他のｅＮＢ１０８に接続され得る。ｅＮＢ１０６はまた、基地局、トランシーバ基地局、無線基地局、無線トランシーバ、トランシーバ機能、基本サービスセット（ＢＳＳ）、拡張サービスセット（ＥＳＳ）、アクセスポイント、または何らかの他の適切な専門用語で呼ばれ得る。ｅＮＢ１０６は、ＵＥ１０２に、ＥＰＣ１１０へのアクセスポイントを提供し得る。ＵＥ１０２の例は、セルラフォン、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、タブレット、ネットブック、スマートブック、ウルトラブック、または任意の他の同様の機能するデバイスを含む。ＵＥ１０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、エンターテイメントデバイス、機器（appliance）、ビークル／自動車コンポーネント、または何らかの他の適切な専門用語で呼ばれ得る。
【００２７】
[0036]  ｅＮＢ１０６は、Ｓ１インタフェースによってＥＰＣ１１０に接続される。ＥＰＣ１１０は、モビリティ管理エンティティ（ＭＭＥ）１１２、他のＭＭＥ１１４、サービングゲートウェイ１１６（サービングゲートウェイノード、ＳＧＮ１１６）、およびパケットデータネットワーク（ＰＤＮ）ゲートウェイ１１８を含む。ＭＭＥ１１２は、ＵＥ１０２とＥＰＣ１１０との間でのシグナリングを処理する制御ノードである。一般に、ＭＭＥ１１２は、ベアラおよび接続管理を提供する。全てのユーザＩＰパケットは、自身がＰＤＮゲートウェイ１１８に接続されるサービングゲートウェイ１１６を通じて転送される。ＰＤＮゲートウェイ１１８は、ＵＥ  ＩＰアドレス割り振りに加え他の機能も提供する。ＰＤＮゲートウェイ１１８は、オペレータのＩＰサービス１２２に接続される。オペレータのＩＰサービス１２２は、例えば、インターネット、イントラネット、ＩＰマルチメディアサブシステム（ＩＭＳ）、およびＰＳ（パケット交換）ストリーミングサービス（ＰＳＳ）を含み得る。このように、ＵＥ１０２は、ＬＴＥネットワークを通じてＰＤＮに結合され得る。
【００２８】
[0037]  図２は、本開示の態様が実践され得るＬＴＥネットワークアーキテクチャにおけるアクセスネットワーク２００の例を例示する図である。ＵＥ２０６は、第１のコアネットワークによって提供されるサービスの第１のセットに関する情報を受信することと、第１のコアネットワークによって提供されないサービスの第２のセットにアクセスするために、第１のコアネットワークから第２のコアネットワークへ再選択するためのアクションを取ることとを行うように構成され得る。
【００２９】
[0038]  この例では、アクセスネットワーク２００は、多数のセルラ領域（セル）２０２に分割される。１つまたは複数のより低い電力クラスのｅＮＢ２０８は、セル２０２のうちの１つまたは複数とオーバーラップするセルラ領域２１０を有し得る。より低い電力クラスのｅＮＢ２０８は、遠隔無線ヘッド（ＲＲＨ：remote radio head）と呼ばれ得る。より低い電力クラスのｅＮＢ２０８は、フェムトセル（例えば、ホームｅＮＢ（ＨｅＮＢ））、ピコセル、またはマイクロセルであり得る。マクロｅＮＢ２０４は、それぞれのセル２０２に各々割り当てられ、セル２０２内の全てのＵＥｓ２０６に、ＥＰＣ１１０へのアクセスポイントを提供することを行うように構成される。アクセスネットワーク２００のこの例では、集中型コントローラ（centralized controller）は存在しないが、代替の構成では、集中型コントローラが使用され得る。ｅＮＢ２０４は、無線ベアラ制御、アドミッション制御、モビリティ制御、スケジューリング、セキュリティ、およびサービングゲートウェイ１１６への接続性を含む、全ての無線関連機能を担う。ネットワーク２００はまた、１つまたは複数のリレー（示されない）を含み得る。１つのアプリケーションに従って、ＵＥは、リレーとしての役割を果たし得る。
【００３０】
[0039]  アクセスネットワーク２００によって用いられる変調および多元接続スキームは、展開されている特定の電気通信規格に依存して異なり得る。ＬＴＥアプリケーションでは、周波数分割複信（ＦＤＤ）および時分割複信（ＴＤＤ）の両方をサポートするために、ＯＦＤＭは、ＤＬ上で使用され、ＳＣ−ＦＤＭＡは、ＵＬ上で使用される。以下の詳細な説明から当業者が容易に理解するだろうように、ここに提示される様々な概念は、ＬＴＥアプリケーションによく適している。しかしながら、これらの概念は、他の変調および多元接続技法を用いる他の電気通信規格に容易に拡張され得る。例として、これらの概念は、エボリューションデータオプティマイズド（ＥＶ−ＤＯ  Evolution-Data Optimized）またはウルトラモバイルブロードバンド（ＵＭＢ  Ultra Mobile Broadband）に拡張され得る。ＥＶ−ＤＯおよびＵＭＢは、ＣＤＭＡ２０００規格ファミリの一部として、第３世代パートナーシッププロジェクト２（３ＧＰＰ２）によって公表されたエアインタフェース規格であり、ブロードバンドインターネットアクセスをモバイル局に提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形を用いるユニバーサル地上無線アクセス（ＵＴＲＡ）、ＴＤＭＡを用いるモバイル通信のためのグローバルシステム（ＧＳＭ（登録商標））、ならびにＯＦＤＭＡを用いる発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張され得る。ＵＴＲＡ、Ｅ−ＵＴＲＡ、ＵＭＴＳ、ＬＴＥ、およびＧＳＭは、３ＧＰＰの団体からの文書において説明されている。ＣＤＭＡ２０００およびＵＭＢは、３ＧＰＰ２の団体からの文書において説明されている。用いられる実際のワイヤレス通信規格および多元接続技術は、特定のアプリケーション、およびシステムに課せられる全体的な設計制約に依存するだろう。
【００３１】
[0040]  ｅＮＢ２０４は、ＭＩＭＯ技術をサポートする複数のアンテナを有し得る。ＭＩＭＯ技術の使用は、ｅＮＢ２０４が、空間多重化（spatial multiplexing）、ビームフォーミング、および送信ダイバーシティをサポートするために空間領域を活用することを可能にする。空間多重化は、同じ周波数上で同時にデータの異なるストリームを送信するために使用され得る。データストリームは、データレートを増大させるために単一のＵＥ２０６に、または、全体的なシステム容量を増大させるために複数のＵＥ２０６に、送信され得る。これは、各データストリームを空間的にプリコーディングし（例えば、振幅および位相のスケーリングを適用し）、次いで、ＤＬ上で、複数の送信アンテナを通じて各空間的にプリコーディングされたストリームを送信することによって達成される。空間的にプリコーディングされたデータストリームは、異なる空間シグネチャと共にＵＥ（１つ以上）２０６に到達し、それは、ＵＥ２０６（１つ以上）の各々が、そのＵＥ２０６に宛てられた１つまたは複数のデータストリームを復元することを可能にする。ＵＬ上では、各ＵＥ２０６は、空間的にプリコーディングされたデータストリームを送信し、それは、ｅＮＢ２０４が、各空間的にプリコーディングされたデータストリームのソースを識別することを可能にする。
【００３２】
[0041]  空間多重化は、一般に、チャネル状態が良好なときに使用される。チャネル状態があまり良好でないとき、１つまたは複数の方向に送信エネルギーを集中させるためにビームフォーミングが使用され得る。これは、複数のアンテナを通じた送信のためにデータを空間的にプリコーディングすることによって達成され得る。セルのエッジで良好なカバレッジを達成するために、単一ストリームのビームフォーミング送信が、送信ダイバーシティと組み合わせて使用され得る。
【００３３】
[0042]  ある特定のケースでは、セル２０２のセルエッジにあるＵＥ２０６は、電力制限、ＵＬ干渉、等のため、そのサービングｅＮＢ２０４とＵＬ上で効率的に通信しない場合がある。本開示のある特定の態様では、ＵＥ２０６は、セル内の１つまたは複数の他のＵＥと共に、サービングセルｅＮＢ２０４への協調アップリンク送信に参加し得る。これは、著しいセルエッジパフォーマンス利得をもたらし得る。サービングｅＮＢ２０４は、ｅＮＢ２０４への協調アップリンク送信に参加する複数のＵＥ２０６について異なるグループを決定し、各グループのＵＥ２０６が、データソースとしてデータを送信することを行うように、またはデータソースとしてデータを送信することを行うように構成された別のＵＥ２０６から受信されたデータをリレーすることを行うように構成されているか否かを示すモード構成（mode configurations）を送信し得る。各ＵＥ２０６は、各ＴＴＩについて、ＵＥが属しているグループのグループ番号およびＴＴＩのインデックスに少なくとも部分的に基づいて、協調アップリンク送信のために実行するための少なくとも１つの動作を決定し得る。
【００３４】
[0043]  以下の詳細な説明では、アクセスネットワークの様々な態様が、ＤＬ上でＯＦＤＭをサポートするＭＩＭＯシステムに関して説明されるだろう。ＯＦＤＭは、ＯＦＤＭシンボル内の多数のサブキャリア上のデータを変調するスペクトル拡散技法である。サブキャリアは、正確な周波数で間隔が空けられている。間隔を空けることは、受信機が、サブキャリアからのデータを復元することを可能にする「直交性（orthogonality）」を提供する。時間領域では、ＯＦＤＭシンボル間干渉（inter-OFDM-symbol interference）に対抗するために、各ＯＦＤＭシンボルに、ガードインターバル（例えば、サイクリックプレフィックス）が追加され得る。ＵＬは、高いピーク対平均電力比（ＰＡＰＲ）を補償するために、ＤＦＴ拡散ＯＦＤＭ信号（DFT-spread OFDM signal）の形態でＳＣ−ＦＤＭＡを使用し得る。
【００３５】
[0044]  図３は、ＬＴＥにおけるＤＬフレーム構造の例を例示する図３００である。フレーム（１０ｍｓ）は、０〜９のインデックスを有する１０個の等しいサイズのサブフレームに分割され得る。各サブフレームは、２つの連続するタイムスロットを含み得る。リソースグリッドは、２つのタイムスロットを表すために使用され得、各タイムスロットは、リソースブロックを含む。リソースグリッド（resource grid）は、複数のリソース要素に分割される。ＬＴＥでは、リソースブロックは、周波数領域において１２個の連続するサブキャリアを、および各ＯＦＤＭシンボルにおける通常のサイクリックプレフィックスについては、時間領域において７つの連続するＯＦＤＭシンボルを包含し、すなわち、８４個のリソース要素を包含する。拡張されたサイクリックプレフィックスについては、リソースブロックは、時間領域において６つの連続するＯＦＤＭシンボルを包含し、７２のリソース要素を有する。Ｒ３０２、Ｒ３０４として示される、リソース要素のうちのいくつかは、ＤＬ基準信号（ＤＬ−ＲＳ）を含む。ＤＬ−ＲＳは、セル固有ＲＳ（ＣＲＳ）（共通ＲＳと呼ばれることもある）３０２、およびＵＥ固有ＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上でのみ送信される。各リソース要素によって搬送されるビット数は、変調スキームに依存する。このように、ＵＥが受信するリソースブロックがより多いほど、および変調スキームがより高度であるほど、ＵＥのためのデータレートはより高くなる。
【００３６】
[0045]  ＬＴＥでは、ｅＮＢは、ｅＮＢ内の各セルについてのセカンダリ同期信号（ＳＳＳ）およびプライマリ同期信号（ＰＳＳ）を送り得る。プライマリおよびセカンダリ同期信号は、通常の（normal）サイクリックプレフィックス（ＣＰ）で、各無線フレームのサブフレーム０および５の各々における、それぞれシンボル期間６および５において送られ得る。同期信号は、セル検出および獲得のためにＵＥによって使用され得る。ｅＮＢは、サブフレーム０のスロット１におけるシンボル期間０〜３において物理ブロードキャストチャネル（ＰＢＣＨ）を送り得る。ＰＢＣＨは、ある特定のシステム情報を搬送し得る。
【００３７】
[0046]  ｅＮＢは、各サブフレームの第１のシンボル期間において、物理制御フォーマットインジケータチャネル（ＰＣＦＩＣＨ：Physical Control Format Indicator Channel）を送り得る。ＰＣＦＩＣＨは、制御チャネルについて使用されるシンボル期間の数（Ｍ）を伝達し得、ここで、Ｍは、１、２または３に等しくあり得、サブフレームごとに変化し得る。Ｍはまた、例えば、１０個未満のリソースブロックを有する小さなシステム帯域幅については、４に等しくあり得る。ｅＮＢは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送り得る。ＰＨＩＣＨは、ハイブリッド自動再送要求（ＨＡＲＱ）をサポートするための情報を搬送し得る。ＰＤＣＣＨは、ＵＥのためのリソース割り当てに関する情報と、ダウンリンクチャネルのための制御情報を搬送し得る。ｅＮＢは、各サブフレームの残りのシンボル期間において物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００３８】
[0047]  ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、ＰＣＦＩＣＨおよびＰＨＩＣＨを、これらのチャネルが送られる各シンボル期間において、システム帯域幅全体にわたって送り得る。ｅＮＢは、システム帯域幅のある特定の部分においてＵＥのグループにＰＤＣＣＨを送り得る。ｅＮＢは、システム帯域幅の特定の部分において特定のＵＥにＰＤＳＣＨを送り得る。ｅＮＢは、全てのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、および特定のＵＥにユニキャスト方式でＰＤＳＣＨも送り得る。
【００３９】
[0048]  多数のリソース要素は、各シンボル期間において利用可能であり得る。各リソース要素（ＲＥ）は、１つのシンボル期間において１つのサブキャリアをカバーし得、１つの変調シンボルを送るために使用され得、それは、実数値または複素数値であり得る。各シンボル期間において基準信号のために使用されないリソース要素は、リソース要素グループ（ＲＥＧ）に配置され得る。各ＲＥＧは、１つのシンボル期間において４つのリソース要素を含み得る。ＰＣＦＩＣＨは４つのＲＥＧを占有し得、それらはシンボル期間０において、周波数にわたってほぼ均等に間隔が空けられ得る。ＰＨＩＣＨは３つのＲＥＧを占有し得、それらは、１つまたは複数の設定可能なシンボル期間において、周波数にわたって拡散され得る。例えば、ＰＨＩＣＨのための３つのＲＥＧは、全てシンボル期間０に属し得る、またはシンボル期間０、１および２において拡散され得る。ＰＤＣＣＨは、例えば、最初のＭ個のシンボル期間において、９、１８、３６、または７２個のＲＥＧを占有し得、それらは利用可能なＲＥＧから選択され得る。ＲＥＧのある特定の組み合わせのみが、ＰＤＣＣＨに関して許可され得る。本方法および装置の態様では、サブフレームは１つより多くのＰＤＣＣＨを含み得る。
【００４０】
[0049]  ＵＥは、ＰＨＩＣＨおよびＰＣＦＩＣＨのために使用される特定のＲＥＧを知っているだろう。ＵＥは、ＰＤＣＣＨのためのＲＥＧの異なる組み合わせを探索し得る。探索するための組み合わせの数は、典型的に、ＰＤＣＣＨに関して許可された組み合わせの数より少ない。ｅＮＢは、ＵＥが探索するだろう組み合わせのいずれかでＰＤＣＣＨをＵＥに送り得る。
【００４１】
[0050]  図４は、ＬＴＥにおけるＵＬフレーム構造の例を例示する図４００である。ＵＬのための利用可能なリソースブロックは、データセクションと制御セクションとに区分され得る。制御セクションは、システム帯域幅の２つのエッジにおいて形成され得、設定可能なサイズを有し得る。制御セクション中のリソースブロックは、制御情報の送信のためにＵＥに割り当てられ得る。データセクションは、制御セクション中に含まれない全てのリソースブロックを含み得る。ＵＬフレーム構造は、隣接するサブキャリアを含むデータセクションをもたらし、それは、単一のＵＥが、データセクションにおける隣接するサブキャリアの全てを割り当てられることを可能にし得る。
【００４２】
[0051]  ＵＥは、ｅＮＢに制御情報を送信するために、制御セクションにおけるリソースブロック４１０ａ、４１０ｂが割り当てられ得る。ＵＥはまた、ｅＮＢにデータを送信するために、データセクションにおけるリソースブロック４２０ａ、４２０ｂを割り当てられ得る。ＵＥは、制御セクションにおける割り当てられたリソースブロック上で物理ＵＬ制御チャネル（ＰＵＣＣＨ）において制御情報を送信し得る。ＵＥは、データセクションにおける割り当てられたリソースブロック上で物理ＵＬ共有チャネル（ＰＵＳＣＨ）においてデータのみまたはデータと制御情報との両方を送信し得る。ＵＬ送信は、サブフレームの両方のスロットにまたがり得、そして周波数にわたってホッピングし得る。
【００４３】
[0052]  リソースブロックのセットは、物理ランダムアクセスチャネル（ＰＲＡＣＨ）４３０において、初期のシステムアクセスを実行し、ＵＬ同期を達成するために使用され得る。ＰＲＡＣＨ４３０は、ランダムシーケンスを搬送し、いずれのＵＬデータ／シグナリングも搬送することはできない。各ランダムアクセスプリアンブルは、６つの連続するリソースブロックに対応する帯域幅を占有する。開始周波数はネットワークによって指定される。すなわち、ランダムアクセスプリアンブルの送信は、ある特定の時間および周波数リソースに限られる。ＰＲＡＣＨのための周波数ホッピングは存在しない。ＰＲＡＣＨ試行は、単一のサブフレーム（１ｍｓ）において、または少数の隣接するサブフレームのシーケンスにおいて搬送され、ＵＥは、フレーム（１０ｍｓ）ごとに単一のＰＲＡＣＨ試行のみを行うことができる。
【００４４】
[0053]  図５は、ＬＴＥにおけるユーザおよび制御プレーンのための無線プロトコルアーキテクチャの例を例示する図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位レイヤであり、様々な物理レイヤ信号処理機能を実施する。Ｌ１レイヤは、ここでは、物理レイヤ５０６と呼ばれるだろう。レイヤ２（Ｌ２レイヤ）５０８は、物理レイヤ５０６より上位にあり、物理レイヤ５０６上でのＵＥとｅＮＢとの間のリンクを担う。
【００４５】
[0054]  ユーザプレーンでは、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、これらは、ネットワーク側のｅＮＢにおいて終端される。示されていないが、ＵＥは、ネットワーク側のＰＤＮゲートウェイ１１８において終端されるネットワークレイヤ（例えば、ＩＰレイヤ）、および接続の他端（例えば、遠端のＵＥ、サーバ、等）において終端されるアプリケーションレイヤを含む、Ｌ２レイヤ５０８よりも上位のいくつかの上位レイヤを有し得る。
【００４６】
[0055]  ＰＤＣＰサブレイヤ５１４は、異なる無線ベアラと論理チャネルとの間の多重化を提供する。ＰＤＣＰサブレイヤ５１４はまた、無線送信オーバヘッドを低減させるための上位レイヤデータパケットのためのヘッダ圧縮、データパケットを暗号化することによるセキュリティ、およびｅＮＢ間のＵＥのためのハンドオーバサポートを提供する。ＲＬＣサブレイヤ５１２は、上位レイヤデータパケットのセグメント化およびリアセンブリ、損失データパケットの再送信、およびハイブリッド自動再送要求（ＨＡＲＱ）のため順序が乱れた受信（out-of-order reception）を補償するためのデータパケットの並べ替え（reordering）、を提供する。ＭＡＣサブレイヤ５１０は、論理チャネルとトランスポートチャネルとの間の多重化を提供する。ＭＡＣサブレイヤ５１０はまた、ＵＥの間で１つのセルの中の様々な無線リソース（例えば、リソースブロック）を割り振ることを担う。ＭＡＣサブレイヤ５１０はまた、ＨＡＲＱ動作を担う。
【００４７】
[0056]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８については実質的に同じである。制御プレーンはまた、レイヤ３（Ｌ３レイヤ）において無線リソース制御（ＲＲＣ）サブレイヤ５１６を含む。ＲＲＣサブレイヤ５１６は、無線リソース（すなわち、無線ベアラ）を取得すること、およびｅＮＢとＵＥとの間でＲＲＣシグナリングを使用して下位レイヤを構成することを担う。
【００４８】
[0057]  図６は、アクセスネットワークにおいてＵＥ６５０と通信するｅＮＢ６１０のブロック図であり、本開示の態様が実践され得る。例えば、ＵＥ６５０は、登録された第１のコアネットワークによって提供されるサービスの第１のセットに関する情報を受信し得、ＵＥは、登録された第１のコアネットワークによって提供されないサービスの第２のセットにアクセスするために、登録された第１のコアネットワークから別の第２のコアネットワークへ再選択するためのアクションを取り得る。態様では、図６に例示されているような、アンテナ６５２、Ｒｘ／Ｔｘ６５４、コントローラ／プロセッサ６５９、ＲＸプロセッサ６５６、ＴＸプロセッサ６６８、および／またはメモリ６６０は、ここに説明され添付の図に例示される態様を実行し得る。
【００４９】
[0058]  ＤＬでは、コアネットワークからの上位レイヤパケットが、コントローラ／プロセッサ６７５に提供される。コントローラ／プロセッサ６７５は、Ｌ２レイヤの機能を実施する。ＤＬでは、コントローラ／プロセッサ６７５は、様々な優先度メトリック（priority metric）に基づいて、ＵＥ６５０への無線リソース割り振り、論理チャネルとトランスポートチャネルとの間の多重化、パケットのセグメント化および並べ替え、暗号化、ならびにヘッダ圧縮を提供する。コントローラ／プロセッサ６７５はまた、ＨＡＲＱ動作、損失パケットの再送信、およびＵＥ６５０へのシグナリングを担う。
【００５０】
[0059]  ＴＸプロセッサ６１６は、Ｌ１レイヤ（すなわち、物理レイヤ）のための様々な信号処理機能を実施する。信号処理機能は、ＵＥ６５０における前方誤り訂正（ＦＥＣ）を容易にするためにコーディングおよびインターリーブすることと、様々な変調スキーム（例えば、二位相偏移変調（ＢＰＳＫ）、直交位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることとを含む。コーディングおよび変調されたシンボルは、次いで、並列ストリームに分けられる。各ストリームは、次いで、ＯＦＤＭサブキャリアにマッピングされ、時間および／または周波数領域で基準信号（例えば、パイロット）と多重化され、次いで、逆高速フーリエ変換（ＩＦＦＴ）を使用して共に組み合わされて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調スキームを決定するために、および空間処理のために使用され得る。チャネル推定値は、ＵＥ６５０によって送信されたチャネル状態フィードバックおよび／または基準信号から導出され得る。次いで、各空間ストリームは、個別の送信機６１８ＴＸを介して、異なるアンテナ６２０に提供される。各送信機６１８ＴＸは、送信のためにそれぞれの空間ストリームで、ＲＦキャリアを変調する。
【００５１】
[0060]  ＵＥ６５０において、各受信機６５４ＲＸは、そのそれぞれのアンテナ６５２を通じて信号を受信する。各受信機６５４ＲＸは、ＲＦキャリア上に変調された情報を復元し、受信機（ＲＸ）プロセッサ６５６に情報を提供する。ＲＸプロセッサ６５６は、Ｌ１レイヤの様々な信号処理機能を実施する。ＲＸプロセッサ６５６は、ＵＥ６５０に宛てられた任意の空間ストリームを復元するために、情報に対して空間処理を実行する。複数の空間ストリームがＵＥ６５０に宛てられている場合、それらは、ＲＸプロセッサ６５６によって単一のＯＦＤＭシンボルストリームに組み合わせられ得る。ＲＸプロセッサ６５６は、次いで、高速フーリエ変換（ＦＦＴ）を使用して、ＯＦＤＭシンボルストリームを時間領域から周波数領域に変換する。周波数領域信号は、ＯＦＤＭ信号の各サブキャリアについて個別のＯＦＤＭシンボルストリームを備える。各サブキャリア上のシンボル、および基準信号は、ｅＮＢ６１０によって送信された最も可能性の高い信号コンステレーションポイント（constellation points）を決定することによって、復元および復調される。これらの軟判定は、チャネル推定器６５８によって計算されるチャネル推定値に基づき得る。これらの軟判定は、次いで、物理チャネル上でｅＮＢ６１０により当初送信された（originally transmitted）制御信号およびデータを復元するために、復号およびデインターリーブされる（deinterleaved）。データおよび制御信号は、次いで、コントローラ／プロセッサ６５９に提供される。
【００５２】
[0061]  コントローラ／プロセッサ６５９は、Ｌ２レイヤを実施する。コントローラ／プロセッサは、プログラムコードおよびデータを記憶するメモリ６６０に関連付けられることができる。メモリ６６０は、コンピュータ読み取り可能な媒体と呼ばれ得る。ＵＬでは、コントローラ／プロセッサ６５９は、コアネットワークからの上位レイヤパケットを復元するために、トランスポートチャネルと論理チャネルとの間の逆多重化（demultiplexing）、パケットのリアセンブリ、暗号解読（deciphering）、ヘッダの解凍（decompression）、制御信号処理を提供する。上位レイヤパケットは、次いで、データシンク６６２に提供され、それは、Ｌ２レイヤより上位の全てのプロトコルレイヤを表す。様々な制御信号はまた、Ｌ３処理のためにデータシンク６６２に提供され得る。コントローラ／プロセッサ６５９はまた、ＨＡＲＱ動作をサポートするために、肯定応答（ＡＣＫ）および／または否定応答（ＮＡＣＫ）プロトコルを使用する誤り検出を担う。
【００５３】
[0062]  ＵＬでは、データソース６６７は、コントローラ／プロセッサ６５９に上位レイヤパケットを提供するために使用される。データソース６６７は、Ｌ２レイヤより上位の全てのプロトコルレイヤを表す。ｅＮＢ６１０によるＤＬ送信に関連して説明された機能と同様に、コントローラ／プロセッサ６５９は、ｅＮＢ６１０による無線リソース割り振りに基づいて、論理およびトランスポートチャネルとの間の多重化、パケットのセグメント化と並べ替え、暗号化、ヘッダ圧縮を提供することによって、ユーザプレーンおよび制御プレーンのためのＬ２レイヤを実施する。コントローラ／プロセッサ６５９はまた、ＨＡＲＱ動作、損失パケットの再送信、ｅＮＢ６１０へのシグナリングを担う。
【００５４】
[0063]  ｅＮＢ６１０によって送信されたフィードバックまたは基準信号からチャネル推定器６５８によって導出されたチャネル推定値は、適切なコーディングおよび変調スキームを選択するため、および空間処理を容易にするために、ＴＸプロセッサ６６８によって使用され得る。ＴＸプロセッサ６６８によって生成された空間ストリームは、個別の送信機６５４ＴＸを介して異なるアンテナ６５２に提供される。各送信機６５４ＴＸは、送信のためにそれぞれの空間ストリームでＲＦキャリアを変調する。
【００５５】
[0064]  ＵＬ送信は、ＵＥ６５０における受信機機能に関連して説明されたのと同様の方法で、ｅＮＢ６１０において処理される。各受信機６１８ＲＸは、そのそれぞれのアンテナ６２０を通じて信号を受信する。各受信機６１８ＲＸは、ＲＦキャリア上に変調された情報を復元し、ＲＸプロセッサ６７０に情報を提供する。ＲＸプロセッサ６７０は、Ｌ１レイヤを実施し得る。
【００５６】
[0065]  コントローラ／プロセッサ６７５は、Ｌ２レイヤを実施する。コントローラ／プロセッサ６７５は、プログラムコードおよびデータを記憶するメモリ６７６に関連付けられることができる。メモリ６７６は、コンピュータ読み取り可能な媒体と呼ばれ得る。ＵＬでは、コントローラ／プロセッサ６７５は、ＵＥ６５０からの上位レイヤパケットを復元するために、制御信号処理、ヘッダの解凍、暗号解読、パケットのリアセンブリ、トランスポートチャネルと論理チャネルとの間の逆多重化、を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫおよび／またはＮＡＣＫプロトコルを使用する誤り検出を担う。コントローラ／プロセッサ６７５、６５９は、それぞれ、ｅＮＢ６１０およびＵＥ６５０におけるオペレーションを指示し得る。
【００５７】
[0066]  ＵＥ６５０におけるコントローラ／プロセッサ６５９、および／または他のプロセッサおよびモジュールは、例えば、図１０の動作１０００の動作、および／またはネットワーク再選択をサポートするためにここに説明されている技法のための他のプロセスを実行し得るか、または動作を指示し得る。メモリ６６０は、ＵＥ６５０のためのプログラムコードおよびデータを記憶し得、ＵＥ６５０の１つまたは複数の他のコンポーネントによってアクセス可能であり、実行可能である。
【００５８】
レギュラーコアネットワークと専用のコアネットワークとの間の再選択
[0067]  ここにさらに詳細に説明されるように、ＵＥは、第１のコアネットワークに接続され得、第１のコアネットワークによって提供されるサービスの１つまたは複数のセットに関する情報を受信し得る。ＵＥは、それが第１のコアネットワークによって提供されないサービスのセットを好むだろうことを決定、認識、および／または識別し得る。それに応じて、ＵＥは、第１のコアネットワークから第２のコアネットワークへ再選択するための１つまたは複数のステップを取り得、ここにおいて、第２のコアネットワークは、サービスの要望のセットを提供する。
【００５９】
[0068]  専用のコアネットワーク（専用ＣＮ、ＤＣＮ）情報は、コアネットワークによって提供されるサービスのセットをＵＥが識別することを可能にし得る。ＵＥが要求するサービスは、専用のＣＮ識別を使用して示され得る。専用のＣＮ識別は、サービスを定義する、標準化された範囲のスカラー値（scalar values）を有し得る。したがって、専用のＣＮ識別が提供される場合、ネットワークは、どのサービスをＵＥが要求しているかを知り得る。このように、ＵＥが要求している特定のサービスを識別する値の標準化されたセットが存在し得る。
【００６０】
[0069]  上述したように、ＭＴＣ  ＵＥは、基地局、別の遠隔デバイス、または何らかの他のエンティティと通信し得る。マシンタイプ通信は、必ずしも人間の関与を必要としない１つまたは複数のエンティティを伴い得る。ＭＴＣデバイスの例は、様々なワイヤレスセンサ、モニタ、検出器、メータ、または一回の充電で何年も動作すること（場合によっては無人で）が期待され得る、他のタイプのデータ監視、生成、もしくは中継デバイスを含む。ＭＴＣ  ＵＥは、モノのセルラインターネット（ＣＩＯＴ）で動作し得、これにより、ＵＥは、データを収集し、送信し得る。
【００６１】
[0070]  これらの機能のために、ＣＩＯＴ  ＵＥは、非ＣＩＯＴ  ＵＥと比較すると、異なる特性を有し得る。例えば、ＣＩＯＴ  ＵＥは、まれに小さい量のデータを送信し得る。任意の所与の時間において、多数のＣＩＯＴ  ＵＥは、アイドルモード（idle mode）（例えば、ＥＰＣ接続管理（ＥＣＭ）アイドルモード）であり得る。例えば、ＣＩＯＴ  ＵＥは、低モビリティおよび／または拡張された周期的（periodic）追跡エリアアップデート（ｐＴＡＵ）タイマのために、より少ないモビリティ管理シグナリングを有し得る。
【００６２】
[0071]  制御プレーン伝送上のスモールデータ（例えば、コネクションレス、スモールデータアクセス）は、ネットワークへの従来型接続アクセスを確立することに関連付けられるオーバヘッドなしに、データの伝送を可能にし得る。したがって、本開示の態様に従って、ＣＩＯＴ  ＵＥのようなある特定のデバイスは、組み合わされた制御プレーンおよびユーザプレーンのような、専用のコアネットワーク（専用ＣＮ、ＤＣＮ）によってサービングされ得る。標準化された、専用のＣＮは、サービスの特定のセットを提供し得る。
【００６３】
[0072]  １つの例に従って、専用のＣＮは、制御プレーン伝送上のスモールデータだけを提供し得、データベアラをサポートしない場合がある。上述したように、ほとんどの場合、例えば、短いアップデートおよび／報告のために制御プレーン上のスモールデータを使用するデバイスが存在し得る。時々、これらのデバイスは、データベアラを伴う、より大きなデータ取引（例えば、ソフトウェアアップデート）を必要とし得る。本開示の態様は、ＵＥが要求したサービスに基づいてコアネットワークを選択／再選択するための技法を提供する。
【００６４】
[0073]  態様に従って、ＵＥは、それが制御プレーン伝送上のスモールデータのためにネットワークに接続することを要望する（例えば、ＵＥがデータベアラサポートを必要としない）とき、ＲＲＣサブレイヤ（例えば、図５のＲＲＣサブレイヤ５１６）へのインジケーションを送信し得る。例えば、ＵＥは、これまでのＭＭＥ（例えば、図１の１１２）およびサービングゲートウェイ（例えば、図１の１１６）の特徴を組み合わせ得る簡易化された、専用ノードへの接続を要求し得る。態様に従って、この専用のＣＮノードは、ＣＩＯＴサービスゲートウェイノード（Ｃ−ＳＧＮ）と呼ばれ得る。このインジケーションまたは要求を受信すると、無線アクセスネットワークは、利用可能であれば、Ｃ−ＳＧＮに接続し得る。Ｃ−ＳＧＮが利用可能でない場合、ＵＥは、ＭＭＥに接続し得る。
【００６５】
[0074]  非アクセスストレイタス（Non-Access Stratus）（ＮＡＳ）シグナリングを通じて、ＵＥは、それが、ＭＭＥに接続されるか、簡易化された、専用のＣＮノードに接続されるかを自覚し得る。図７−９に示され、ここにさらに詳細に説明されるように、ＵＥは、ＵＥがアタッチされるコアネットワークノード（例えば、ＭＭＥ、Ｃ−ＳＧＮ）からアタッチ受理メッセージ（attach accept message）を受信し得る。このメッセージは、ＣＮノードの能力を示し得る。例えば、ＭＭＥからのアタッチ受理メッセージは、データベアラのためのサポートを示し得、Ｃ−ＳＧＮからのアタッチ受理メッセージは、制御プレーン伝送サービス上のスモールデータのためのサポートのような、制限された能力を示し得る。
【００６６】
[0075]  図８に関して説明されるように、ＵＥが、Ｃ−ＳＧＮに接続され、モバイル発（ＭＯ：mobile originated）の、ベアラサポートされた通信を始めることを要望するとき、ＵＥは、ＭＭＥに接続するインジケーション、ベアラコンテキストをサポートするコアネットワークに接続するインジケーション、または専用のコアネットワーク（例えば、Ｃ−ＳＧＮ）に接続しないインジケーションで、追跡エリアアップデート（ＴＡＵ）プロシージャを開始し得る。ＲＡＮノード（例えば、基地局トランシーバ、またはｅＮＢ）は、そのようなＭＯ通信をサポートするＣＮを識別し得、ＭＭＥ選択プロシージャを始め得る。
【００６７】
[0076]  図９に関して説明されるように、ＵＥが、ＭＭＥに接続され、制御プレーン伝送サービス上のスモールデータのようなＭＭＥによって提供されないサービスのセットを要望するとき、ＵＥは、Ｃ−ＳＧＮに接続するインジケーション、またはこのサービスをサポートするＣＮに接続するインジケーションを送信し得る。ＲＡＮノードは、Ｃ−ＳＧＮであるか制御プレーン伝送上のスモールデータをサポートするＣＮを識別し得、ＭＭＥからＣ−ＳＧＮへのＣＮ再選択プロシージャを始め得る。
【００６８】
[0077]  図７は、本開示の態様に従った、初期のアタッチプロシージャのための例となるコールフロー７００を例示する。ステップ１において、ＵＥは、ＲＡＮノードにアタッチし得、Ｃ−ＳＧＮにアタッチするインジケーションを要求し得る。例えば、ＲＡＮノードは、基地局トランシーバまたはｅＮＢを含み得る。ステップ２において、ＲＡＮノードは、Ｃ−ＳＧＮの利用可能性を確認し得る。ＲＡＮノードは、ＵＥにネットワークサービスを提供するためのＣ−ＳＧＮを選択し得る。ステップ３において、ＲＡＮノードは、Ｃ−ＳＧＮにアタッチ要求メッセージを送り得る。その後、ステップ４において、Ｃ−ＳＧＮとＵＥとの間で、認証が生じ得る。
【００６９】
[0078]  ステップ５において、ＵＥは、Ｃ−ＳＧＮおよびその能力を示すアタッチ受理インジケーションを受信し得る。ステップ６において、ＵＥは、Ｃ−ＳＧＮへアタッチ完了メッセージを送信し得る。ステップ７において、ＮＡＳ／ＲＲＣは、リリースされ得る。ステップ８において、ＵＥは、使用可能な制御プレーン伝送サービス上のスモールデータで、Ｃ−ＳＧＮに接続され得る。
【００７０】
[0079]  図８は、本開示の態様に従った、Ｃ−ＳＧＮからＭＭＥへのＣＮの再選択のための例となるコールフロー８００を例示する。初めに、ステップ０において、ＵＥは、Ｃ−ＳＧＮに登録され得（例えば、図７のステップ８参照）そしてＣ−ＳＧＮは、ＵＥのコンテキストを有し得る。ステップ１において、ＵＥは、ベアラ接続を使用するサービスのような、Ｃ−ＳＧＮによって提供されないサービスを要望し得る。したがって、ステップ１において、ＵＥは、ＭＭＥへの接続のためにＲＡＮノードに登録アップデート要求／インジケーションを送信し得る。
【００７１】
[0080]  例に従って、ステップ１における登録アップデート要求は、現在接続されているＣＮノードに関連付けられた識別子を含まない場合がある。態様に従って、グローバルに固有のモビリティ管理エンティティ識別子（ＧＵＭＭＥＩ）のようなＣＮノードに関連付けられた一時的なＩＤは、登録アップデート要求に含まれない場合がある。ＲＡＮノードが、異なるＣＮを選択（例えば、図８では、ＭＭＥを選択）し得るように、現在のＣＮに関連付けられたＩＤは、ＲＡＮノードに提供されない場合がある。したがって、図８に例示されるように、ＵＥは、ＧＵＭＭＥＩを含まない登録アップデート要求を送信し得る。
【００７２】
[0081]  加えて、ＵＥは、グローバルに固有の一時的なＵＥ  ＩＤ（ＧＵＴＩ）を有するＴＡＵ要求を送信し得る。態様に従って、ＵＥはＵＥに関連付けられた永久識別子（一時的な識別子の代わりに）でＲＡＮノードに対して自身を明らかにし得、それはネットワーク選択をトリガし得る。態様に従って、新しいＣＮが、セキュリティコンテキストおよび／またはモビリティ管理コンテキストを含むＵＥのコンテキストを取り出し得るように、ＵＥは、サービングＣＮに関する情報を提供し得る。この例では、ＭＭＥがＣ−ＳＧＮからＵＥのコンテキストを取り出し得るように、ＵＥは登録アップデートにおいてＣ−ＳＧＮに関する情報を提供し得る。
【００７３】
[0082]  図８のステップ２において、ＲＡＮノードは、ＮＡＳノード選択機能（ＮＮＳＦ）を実行し得る。ステップ３において、ＲＡＮノードは、ＵＥに割り当てられたＧＵＴＩを含むＴＡＵ要求を送信し得る。ステップ４において、ＭＭＥは、Ｃ−ＳＧＮからＵＥのコンテキストを要求し得る。ステップ５において、Ｃ−ＳＧＮは、コンテキスト応答を送信し得る。その後、ステップ６において、ＭＭＥは、ＵＥに、ＧＵＴＩ再割り振りおよびＭＭＥ能力を含むＴＡＵ受理を送信し得る。ステップ７において、ＴＡＵは、完了し得、ＵＥは、ＭＭＥとデータベアラサービスを始め得る。
【００７４】
[0083]  図９は、本開示の態様に従った、ＭＭＥからＣ−ＳＧＮへＣＮの再選択のための例となるコールフロー９００を例示する。初めに、ステップ０において、ＵＥは、ＭＭＥに登録され得る（図８参照）。加えて、ステップ０において、ＭＭＥは、ＵＥのコンテキストを有し得、ＵＥは、例えば、制御プレーン伝送上のスモールデータのような、ＭＭＥによって提供されないサービスのためのサポートを要求し得る。
【００７５】
[0084]  ステップ１において、ＵＥは、ＭＭＥによって提供されない、ＵＥが獲得しようとする特定のサービスについての登録アップデート要求を送信し得る。例えば、ＵＥは、ステップ１に示されるような、Ｃ−ＳＧＮ要求を送信し得る。要求は、例えば、ＧＵＭＭＥＩのような、現在のＣＮに関連付けられたＩＤを含まない場合がある。ＵＥはまた、ＧＵＴＩとともにＴＡＵ要求メッセージを送信し得る。上述したように、態様に従って、ＲＡＮノードが、異なるＣＮを選択し得る（例えば、図９では、Ｃ−ＳＧＮを選択し得る）ように、現在のＣＮに関連付けられたＩＤはＲＡＮノードに提供されない場合がある。上述したように、態様に従って、一時的な識別子の代わりに、ＵＥは、永久識別子でＲＡＮノードに対して自身を明らかにし得、それは、ネットワーク選択をトリガし得る。Ｃ−ＳＧＮが、ＭＭＥからＵＥのコンテキストを取り出し得るように、ＵＥは登録アップデートにおいてＭＭＥに関する情報を提供し得る。
【００７６】
[0085]  図９のステップ２に戻ると、ＲＡＮノードは、Ｃ−ＳＧＮ  ＮＮＳＦを実行し得る。ステップ３において、ＲＡＮノードは、ＵＥのＧＵＴＩを含むＴＡＵ要求を送信し得る。ステップ４において、Ｃ−ＳＧＮはＵＥのコンテキストを要求し得る。ステップ５において、ＭＭＥは要求されたＵＥのコンテキストを送信し得る。ステップ６において、Ｃ−ＳＧＮはＧＵＴＩ再割り振りおよびＣ−ＳＧＮ能力を含むＴＡＵ受理を、ＵＥに送信し得る。ステップ７において、ＴＡＵは、完了し得、ＵＥは、Ｃ−ＳＧＮと制御プレーン伝送サービス上のスモールデータを始め得る。
【００７７】
[0086]  図１０は、本開示の態様に従った、ＵＥによって実行され得る、例となる動作１０００を例示する。図１におけるＵＥ１０２および／または図２におけるＵＥ２０６は、ここに説明され、図７−１０に例示された特徴を実行し得る。ＵＥは、図６におけるＵＥ６５０の１つまたは複数のコンポーネントを含み得る。図６に例示されたＵＥ６５０の、アンテナ６５２、Ｒｘ／Ｔｘ６５４、コントローラ／プロセッサ６５９、ＲＸプロセッサ６５６、ＴＸプロセッサ６６８、および／またはメモリ６６０は、ここに説明された態様を実行し得る。
【００７８】
[0087]  ＵＥは、サービスの異なるセットをサポートし得る。異なるコアネットワークは、サービスのセットをサポートし得る。サービスのセットの例は、データベアラ上の通信および制御プレーン伝送サービス上のスモールデータを含む。
【００７９】
[0088]  １００２において、ＵＥは、第１のコアネットワークによって提供されるサービスの第１のセットに関する情報を受信し得る。１００４において、ＵＥは、第１のコアネットワークによって提供されないサービスの第２のセットにアクセスするために、第１のコアネットワークから第２のコアネットワークへ再選択するためのアクションを取り得る。本開示の態様は、ＵＥが使用し得るサービスのセットの非限定的な例として、制御プレーン伝送サービス上のスモールデータおよびデータベアラサービスを指す。ここに説明された態様は、サービスの任意のセットについてのＵＥの要望に基づいて、コアネットワークを再選択することに適用され得る。
【００８０】
[0089]  例として、ＵＥは、データベアラをサポートするＭＭＥに接続され得、Ｃ−ＳＧＮのような専用のＣＮへ再選択することを希望し得る。もうひとつの場合として、ＵＥは、Ｃ−ＳＧＮに接続され得、ＭＭＥへ再選択することを希望し得る。いずれの場合でも（In any case）、ＵＥは、登録されたＣＮによって提供されるサービス（例えば、データベアラ／制御プレーン伝送サービス上のスモールデータ）のセットに関する情報を受信し得る。ＵＥはまた、ＣＮ要素を識別し得る一時的なＩＤを受信し得る。例えば、ＵＥは、ＳＡＥ−一時的なモバイル加入者アイデンティティ（Ｓ−ＴＭＳＩ）、ＧＵＴＩ、ＧＵＭＭＥＩ、および／またはＣＮ要素を識別するために使用され得る任意の他の一時的な識別子を受信し得る。
【００８１】
[0090]  ＵＥが、現在のサービングＣＮが提供しえないサービスを要望するとき、ＵＥは、サービングＣＮを変更または再選択するために登録アップデートプロシージャを開始し得る。上述し、図８および９に例示したように、ＵＥは、ＣＮ要素に関連付けられた識別子を示さずに無線アクセス接続を開始し得る。ＩＤは、一時的な識別子であり得る。
【００８２】
[0091]  態様に従って、ＵＥは、永久識別子（一時的な識別子の代わりに）でＲＡＮノードに対して自身を明らかにし得、それは、ネットワーク選択をトリガし得る。ＵＥはまた、ＲＡＮノードに、要望されたサービスのタイプを示し得、それは、ＲＡＮ要素が、要望のサービスをサポートするＣＮ要素へのネットワーク選択を実行することを可能にし得る。ＵＥによって要望されたサービスのインジケーションは、コアネットワーク識別値のような、スカラー値であり得る。
【００８３】
[0092]  ＵＥは、例えば、登録アップデートメッセージにおいて、ＲＡＮ要素に最後のサービングＣＮに関する情報を提供し得る。これは、新しいＣＮが、ＵＥが以前に接続されていたＣＮからＵＥのコンテキスト（例えば、セキュリティコンテキスト、モビリティ管理コンテキスト）を取り出すことを可能にし得る。
【００８４】
[0093]  ここに説明されるように、本開示の態様は、ＵＥによって要望されるサービスに基づいたＣＮの再選択のための技法を提供する。ＵＥが、現在接続されているＣＮ上で利用可能でないサービスを要望するとき、ＵＥは、要望されたサービスを要求する確立要求メッセージを送信し得る。ＲＡＮノードが要望のサービスを提供するＣＮを選択することを可能にしようと努めて、要求は、現在接続されているＣＮの識別子を含まない場合がある。本開示の態様は、データベアラをサポートするＣＮ、およびコネクションレススモールデータ伝送をサポートするＣＮに関して説明されるが、ここに説明される技法は、これらのサービスに限定されない。このように、本開示の態様は、専用のＣＮの任意のタイプに適用され得る。
【００８５】
[0094]  開示されたプロセスにおけるステップの特定の順序または階層は、実例的なアプローチの例示であることが理解される。設計の選好に基づいて、プロセスにおけるステップの特定の順序または階層は再配列され得ることが理解される。さらに、いくつかのステップは、組み合わされ得るか、または省略され得る。添付の方法の請求項は、サンプルの順序で様々なステップの要素を提示しており、提示された特定の順序または階層に限定されることは意図されていない。
【００８６】
[0095]  さらに、「または」という用語は、排他的な「または」というよりむしろ、包括的な「または」を意味するように意図されている。すなわち、そうではないと指定されない限り、またはコンテキストから明らかでない限り、例えば、「ＸはＡまたはＢを用いる」というフレーズは、自然な包括的置換（natural inclusive permutations）のうちのいずれかを意味するように意図される。すなわち、例えば、「ＸはＡまたはＢを用いる」というフレーズは、ＸはＡを用いる、ＸはＢを用いる、または、ＸはＡとＢの両方を用いる、という事例のいずれかによって満たされる。加えて、本願および添付された特許請求の範囲において使用される冠詞「ａ」および「ａｎ」は、一般に、そうではないと指定されていない限り、または単数形を対象とすることがコンテキストから明らかでない限り、「１つまたは複数」を意味するように解釈されるべきである。項目のリスト「のうちの少なくとも１つ」を指すフレーズは、単一のメンバを含む、それらの項目のうちの任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００８７】
[0096]  先の説明は、当業者がここに説明されている様々な態様を実践することを可能にするために提供されている。これらの態様への様々な修正は、当業者に容易に明らかとなり、ここで定義された包括的な原理は、他の態様に適用され得る。このように、特許請求の範囲は、ここに示された態様に限定されるように意図されてはいないが、特許請求の範囲の文言と一致する全範囲を付与されるべきであり、ここにおいて、単数形での要素への言及は、そのように具体的に記載されない限り、「１つおよび１つのみ」を意味するように意図されず、むしろ「１つまたは複数」を意味するように意図される。そうでないと具体的に記載されない限り、「何らかの／いくつかの（some）」という用語は、１つまたは複数を指す。当業者に既知の、または後に既知となる、本開示全体にわたって説明された様々な態様の要素に対する全ての構造的および機能的な同等物は、参照によってここに明確に組み込まれ、特許請求の範囲に包含されるように意図される。さらに、ここで開示されたものは、特許請求の範囲の中に明示的に記載されているか否かに関わらず、その開示が公衆に献呈されるように意図されていない。要素が「〜のための手段」というフレーズを使用して明確に記載されていない限り、どの請求項の要素もミーンズプラスファンクションとして解釈されるべきではない。
【００８８】
[0097]  態様に従って、ここに説明され記載された意味は、図１におけるＵＥ１０２および／または図２におけるＵＥ２０６のようなＵＥの１つまたは複数のコンポーネントによって実行され得る。ＵＥは、図６に例示される１つまたは複数のコンポーネントを含み得る。例えば、受信するための手段、アクションを取るための手段、登録アップデートを開始するための手段、ＲＡＮノードに、ＵＥに関連付けられた永久識別子を示すための手段、登録アップデートにおいて、第１のコアネットワークに関する情報を提供するための手段、およびＴＡＵ要求メッセージを送信するための手段は、アンテナ６５２、Ｒｘ／Ｔｘ６５４、コントローラ／プロセッサ６５９、ＲＸプロセッサ６５６、ＴＸプロセッサ６６８、および／またはメモリ６６０のうちの１つまたは複数によって実行され得る。
以下に本願の出願当初の特許請求の範囲に記載された発明を付記する。
[Ｃ１]  ユーザ機器（ＵＥ）によるワイヤレス通信のための方法であって、
第１のコアネットワークによって提供されるサービスの第１のセットに関する情報を受信すること、および
前記第１のコアネットワークによって提供されないサービスの第２のセットにアクセスするために前記第１のコアネットワークから第２のコアネットワークへ再選択するためのアクションを取ること
を備える、方法。
[Ｃ２]  前記アクションを取ることは、
登録アップデートを開始することを備え、ここにおいて、前記登録アップデートは、無線アクセスネットワーク（ＲＡＮ）ノードに、前記第１のコアネットワークによって提供されない前記ＵＥによって要求されるサービスを示す、Ｃ１に記載の方法。
[Ｃ３]  前記登録アップデートは前記第１のコアネットワークに関連付けられた識別子を示さない、Ｃ２に記載の方法。
[Ｃ４]  前記第１のコアネットワークに関連付けられた前記識別子はグローバルに固有のＭＭＥ識別子（ＧＵＭＭＥＩ）を備える、Ｃ３に記載の方法。
[Ｃ５]  前記第１のコアネットワークに関連付けられた前記識別子は一時的な識別子を備える、Ｃ３に記載の方法。
[Ｃ６]  前記アクションを取ることは、
前記ＲＡＮノードに、前記ＵＥに関連付けられた永久識別子を示すことを備える、Ｃ５に記載の方法。
[Ｃ７]  前記アクションを取ることは、
登録アップデートにおいて前記第１のコアネットワークに関する情報を提供することを備える、Ｃ１に記載の方法。
[Ｃ８]  前記第１のコアネットワークはデータベアラサービスまたは制御プレーン伝送サービス上のスモールデータのうちの少なくとも１つを提供する、Ｃ１に記載の方法。
[Ｃ９]  前記アクションを取ることは、
追跡エリア（tracking area）アップデート（ＴＡＵ）要求メッセージを送信することを備える、Ｃ１に記載の方法。
[Ｃ１０]  ユーザ機器（ＵＥ）によるワイヤレス通信のための装置であって、
第１のコアネットワークによって提供されるサービスの第１のセットに関する情報を受信するための手段と、および
前記第１のコアネットワークによって提供されないサービスの第２のセットにアクセスするために前記第１のコアネットワークから第２のコアネットワークへ再選択するためのアクションを取るための手段と
を備える、装置。
[Ｃ１１]  アクションを取るための前記手段を取ることは、
登録アップデートを開始するための手段を備え、ここにおいて前記登録アップデートは、無線アクセスネットワーク（ＲＡＮ）ノードに、前記第１のコアネットワークによって提供されない前記ＵＥによって要求されるサービスを示す、Ｃ１０に記載の装置。
[Ｃ１２]  前記登録アップデートは前記第１のコアネットワークに関連付けられた識別子を示さない、Ｃ１１に記載の装置。
[Ｃ１３]  前記第１のコアネットワークに関連付けられた前記識別子はグローバルに固有のＭＭＥ識別子（ＧＵＭＭＥＩ）を備える、Ｃ１２に記載の装置。
[Ｃ１４]  前記第１のコアネットワークに関連付けられた前記識別子は一時的な識別子を備える、Ｃ１２に記載の装置。
[Ｃ１５]  アクションを取るための前記手段は、
前記ＲＡＮノードに、前記ＵＥに関連付けられた永久識別子を示すための手段を備える、Ｃ１４に記載の装置。
[Ｃ１６]  アクションを取るための前記手段は、
登録アップデートにおいて前記第１のコアネットワークに関する情報を提供するための手段を備える、Ｃ１０に記載の装置。
[Ｃ１７]  前記第１のコアネットワークはデータベアラサービスまたは制御プレーン伝送サービス上のスモールデータのうちの少なくとも１つを提供する、Ｃ１０に記載の装置。
[Ｃ１８]  アクションを取るための前記手段は、
追跡エリアアップデート（ＴＡＵ）要求メッセージを送信するための手段を備える、Ｃ１０に記載の装置。
[Ｃ１９]  ユーザ機器（ＵＥ）によるワイヤレス通信のための装置であって、
第１のコアネットワークによって提供されるサービスの第１のセットに関する情報を受信することを行うように構成された受信機と、
前記第１のコアネットワークによって提供されないサービスの第２のセットにアクセスするために前記第１のコアネットワークから第２のコアネットワークへ再選択するためのアクションを取ることを行うように構成された少なくとも１つのプロセッサと、および  前記少なくとも１つのプロセッサに結合されたメモリと
を備える、装置。
[Ｃ２０]  前記少なくとも１つのプロセッサは、
登録アップデートを開始することによって、前記アクションを取ることを行うように構成され、ここにおいて前記登録アップデートは、無線アクセスネットワーク（ＲＡＮ）ノードに、前記第１のコアネットワークによって提供されない前記ＵＥによって要求されるサービスを示す、Ｃ１９に記載の装置。
[Ｃ２１]  前記登録アップデートは前記第１のコアネットワークに関連付けられた識別子を示さない、Ｃ２０に記載の装置。
[Ｃ２２]  前記第１のコアネットワークに関連付けられた前記識別子はグローバルに固有のＭＭＥ識別子（ＧＵＭＭＥＩ）を備える、Ｃ２１に記載の装置。
[Ｃ２３]  前記第１のコアネットワークに関連付けられた前記識別子は一時的な識別子を備える、Ｃ２１に記載の装置。
[Ｃ２４]  前記少なくとも１つのプロセッサは、
前記ＲＡＮノードに、前記ＵＥに関連付けられた永久識別子を示すことによって、前記アクションを取ることを行うように構成される、Ｃ２３に記載の装置。
[Ｃ２５]  前記少なくとも１つのプロセッサは、
登録アップデートにおいて前記第１のコアネットワークに関する情報を提供することによって、前記アクションを取ることを行うように構成される、Ｃ１９に記載の装置。
[Ｃ２６]  前記第１のコアネットワークはデータベアラサービスまたは制御プレーン伝送サービス上のスモールデータのうちの少なくとも１つを提供する、Ｃ１９に記載の装置。
[Ｃ２７]  前記少なくとも１つのプロセッサは、
追跡エリアアップデート（ＴＡＵ）要求メッセージを送信するための手段によって、前記アクションを取ることを行うように構成される、Ｃ１９に記載の装置。
[Ｃ２８]  記憶された命令を有するコンピュータ読み取り可能な媒体であって、前記命令は、ユーザ機器（ＵＥ）に、
第１のコアネットワークによって提供されるサービスの第１のセットに関する情報を受信すること、および
前記第１のコアネットワークによって提供されないサービスの第２のセットにアクセスするために前記第１のコアネットワークから第２のコアネットワークへ再選択するためのアクションを取ること
を行わせるために１つまたは複数のプロセッサによって実行可能である、コンピュータ読み取り可能な媒体。
[Ｃ２９]  前記少なくとも１つのプロセッサは、
登録アップデートを開始することによって、前記アクションを取ることを行うように構成され、ここにおいて、前記登録アップデートは、無線アクセスネットワーク（ＲＡＮ）ノードに、前記第１のコアネットワークによって提供されない前記ＵＥによって要求されるサービスを示す、Ｃ２８に記載のコンピュータ読み取り可能な媒体。
[Ｃ３０]  前記登録アップデートは前記第１のコアネットワークに関連付けられた識別子を示さない、Ｃ２９に記載のコンピュータ読み取り可能な媒体。
【図１】
0006724047.tif 000002
【図２】
0006724047.tif 000003
【図３】
0006724047.tif 000004
【図４】
0006724047.tif 000005
【図５】
0006724047.tif 000006
【図６】
0006724047.tif 000007
【図７】
0006724047.tif 000008
【図８】
0006724047.tif 000009
【図９】
0006724047.tif 000010
【図１０】
0006724047.tif 000011